(57)【特許請求の範囲】
【請求項１】
水浄化前処理装置により一次処理された水を二次処理する浄化槽に用いられる散水機構であって、浄化槽本体に設けられる垂下軸と、該垂下軸に設けられる水受け部と、該水受け部を回転させる回転手段と、前記水受け部に形成される流出口の部位に配置され、前記一次処理された水により回転させる散水部と、前記水受け部上に設けられる給水パイプとからなり、該給水パイプから供給された水を、前記散水部の長手方向に形成される複数の噴口から浄化槽本体内に均等に散水させる浄化槽用散水機構。
【請求項２】
前記回転手段が、前記水受け部の円周方向の部位に所定の個数配置されたブレードであり、前記浄化槽に配管された送水パイプが該ブレード上に設けられており、該送水パイプから供給された水によりブレードを周回転させるよう構成されてなる請求項１記載の浄化槽用散水機構。
【請求項３】
前記回転手段が水車機構である請求項１記載の浄化槽用散水機構。
【請求項４】
前記水車機構が、前記水受け部の上部位置の垂下軸に連結される歯車機構と、該歯車機構を作動する推進軸に連結されるブレード群とからなる請求項３記載の浄化槽用散水機構。
【請求項５】
前記散水部が、断面略半円状のパイプからなる請求項１、２、３または４記載の浄化槽用散水機構。
【発明の詳細な説明】
【０００１】
【発明の属する技術分野】
本発明は浄化槽用散水機構に関する。さらに詳しくは、河川水や湖沼池などの汚れた水を清水に浄化し、生態系を復元させることができる浄化装置に好適に用いることができる浄化槽用散水機構に関する。
【０００２】
【従来の技術】
従来より、河川や湖沼池の環境を整備して、魚や昆虫などが生息できるように、汚濁水を浄化したのち、清水を放流する試みがなされている。たとえば自然生態系を配慮した水浄化装置としては、水の一次処理を行なう水浄化前処理装置と水の二次処理を行なう浄化槽を備えているものがある。この浄化槽には、微生物充填層、土壌工法、吸着工法、酸化還元工法、紫外線処理工法または自然植生工法などの処理層が配置されており、前記水浄化前処理装置により一次処理された水を該微生物充填層などに散水している。かかる散水は、通常、所定の位置に孔を開けたパイプを並べた散水構造により行なうようにしている。
【０００３】
【発明が解決しようとする課題】
しかしながら、かかるパイプを用いた散水構造では、パイプへの給水位置に近いところと該給水位置から離れた位置での散水は水圧により異なることから、均等に散水させることがむずかしい。このため、微生物の浄化機能を充分に発揮させることができず、水浄化の効率が低下するという問題がある。
【０００４】
本発明は、叙上の事情に鑑み、微生物充填層に均等に散水して微生物の浄化機能を向上させるとともに、水浄化の効率を向上させることができる浄化槽用散水機構を提供することを目的とする。
【０００５】
【課題を解決するための手段】
本発明の浄化槽用散水機構は、水浄化前処理装置により一次処理された水を二次処理する浄化槽に用いられる散水機構であって、浄化槽本体に設けられる垂下軸と、該垂下軸に設けられる水受け部と、該水受け部を回転させる回転手段と、前記水受け部に形成される流出口の部位に配置され、前記一次処理された水により回転させる散水部と、前記水受け部上に設けられる給水パイプとからなり、該給水パイプから供給された水を、前記散水部の長手方向に形成される複数の噴口から浄化槽本体内に均等に散水させることを特徴とする。
【０００６】
【発明の実施の形態】
以下、添付図面に基づいて本発明の浄化槽用散水機構を説明する。
【０００７】
本発明の浄化槽用散水機構は、水浄化前処理装置により一次処理された水を二次処理する浄化槽に用いることができる。
【０００８】
前記水浄化前処理装置としては、河川水や湖沼池などの汚れた水を一次処理することができるものであれば、本発明において、とくに限定されるものではない。たとえば自然の水源の水中に配設された導入部から水源の水を配管２を通して吸引するためのポンプ４と、吸引される水からゴミを除去するための除去機構６と、前記ポンプ４と水源の水面とのあいだの配管２内部に呼び水を充填させる呼び水供給機構８と、前記導入部へ配管を通して空気を送るためのばっ気機構と、制御盤１０とから構成される狭雑物除去揚水システムとすることができる。この狭雑物除去揚水システムは、スチールなどからなるケース１２に収納されている。この水浄化前処理装置では、狭雑物除去揚水システム（一次処理）の導入部に、ポンプで水を汲み上げる途中で狭雑物を取り除くゴミ除去機能を備えたストレーナーを組み込んでいるため、ポンプや、設備の保護および後工程の詰まりなどを防止しつつ、送水することができ、煩雑なメンテナンスの解消を図ることができる。
【０００９】
前記水浄化前処理装置である狭雑物除去揚水システムの下流位置には、送水パイプ２１が配管された浄化槽２２が配置されている。この浄化槽２２には、水を二次処理するための微生物充填層や、土壌工法、吸着工法、酸化還元工法、紫外線処理工法または自然植生工法などの処理層および該微生物充填層などに水を散水する散水機構が設けられている。
【００１０】
前記散水機構は、図１〜３に示されるように、タンク２３内に収納される浄化槽本体２４の上部位置に設けられる垂下軸２５と、該垂下軸２５に設けられる水受け部２６と、該水受け部２６の内周方向の部位に配置される、回転手段であるブレード２７と、前記水受け部２６の底壁２６ａに形成される流出口２８の部位、すなわち底壁２６ａの下に配置される、たとえば４本の散水部２９と、前記ブレード２７上に設けられ、前記送水パイプ２１から分配された給水パイプ３０とから構成されている。また、前記散水部２９の長手方向には複数の噴口３１が形成されている。この噴口３１の数および形状は、本発明においては、とくに限定されるものではなく、散水量や散水される水滴のサイズなどを考慮して適宜選定することができるが、たとえば１０〜１６リットル／分・ｍ2噴水できるように、直径３ｍｍの噴口を全数６０〜７０個とすることができる。噴口３１の形状は、ストレート形状などとすることができるが、図４に示されるように、水が流出しやすいように、漏斗状部３１ａとストレート部３１ｂとからなるようにするのが好ましい。また、図４に示すような形状では、うず流となって、水が流出していくので、漏斗状部３１ａやストレート部３１ｂの内面に藻が繁殖せず、水の流出量が安定するという効果もある。この漏斗状部３１ａの開口径Ｄとストレート部３１ｂの開口径ｄの寸法としては、たとえば厚さｔが６ｍｍの場合、開口径Ｄおよび開口径ｄは、それぞれ１０ｍｍおよび３ｍｍとすることができる。また、本実施の形態では、散水部２９として断面略半円状のパイプが採用されているが、本発明ではこのようなパイプに限定されることなく、水を半径方向外側へ流すことができれば、Ｕ字状、コ字状など他の形状のパイプも用いることができる。
【００１１】
前記水受け部２６の垂下軸２５への取付け構造は、回転自在であれば、とくに限定されるものではなく、たとえば予め先端に形成した垂下軸本体３２の段部に耐摩耗材を介して円筒形の水受け部２６を挿通したのち、ステンレス製ボールを配したスラスト軸受を介して嵌合軸部３３のネジシャフトを水受け部２６と垂下軸本体３２とのあいだに所定の隙間が確保できるように前記段部のネジ孔に螺合し結合させたものを採用することができる。また、前記ブレード２７と給水パイプ３０の数は、散水効率や散水量などを考慮して適宜選定することができるが、本実施の形態では、それぞれ６個（本）にされている。また、同様に送水パイプ３０に対するブレード２７の配置位置は、散水効率を高めるために、送水パイプ３０の間隔と同じにされている。また、ブレード２７の傾斜角度としては、たとえば約１０〜８０度、好ましくは約４０〜６０度とすることができる。
【００１２】
本実施の形態は、送水パイプ３０から供給された水（一次処理水）により、ブレード２７を周回転させるとともに、前記散水部２９の長手方向に形成される噴口３１から浄化槽本体２４内に均等に散水させることができる。したがって、微生物の浄化機能を向上させることができる。また、これにより水浄化の効率を向上させて、清浄度の高い清水を得ることができる。
【００１３】
なお、前記微生物充填層は、本発明においてとくに限定されるものではなく、通常用いられている、有機物を分解したり、汚濁物質を吸着し微生物が分解するものを採用することができる。たとえば、アンモニアを吸着させるゼオライト（吸着材）を使用した微生物活用システムとゼオライトが水の中の汚れを捕まえ、酸化チタンが汚れを分解する光触媒マトリックス酸化分解システムとから構成されるものを用いることができる。また、微生物充填層に代えて、またはこの微生物充填層に加えて、土壌工法、吸着工法、酸化還元工法、紫外線処理工法または自然植生工法などの処理層を採用することができる。
【００１４】
つぎに本発明の他の実施の形態を説明する。本実施の形態にかかわる散水機構は、図５に示されるように、前記タンク２３内に収納される浄化槽本体２４の上部位置に設けられる軸受部（図示せず）を介して回転自在に設けられる垂下軸５１と、該垂下軸５１に設けられる水受け部５２と、該水受け部５２の上部位置に設けられる、回転手段である水車機構５３と、前記水受け部５２の底壁５２ａに形成される流出口５４の部位、すなわち底壁５２ａの下に配置される、たとえば４本の散水部５５と、前記送水パイプ２１から貯留タンク５６を介して分配された給水パイプ５７とから構成されている。本実施の形態における水車機構５３としては、前記水受け部５２の上部位置の垂下軸５１に連結される歯車機構５８と、該歯車機構５８を作動する推進軸５９に連結されるブレード群６０とから構成することができる。本実施の形態では、前記水受け部５２の上部位置の垂下軸５１に固定される第１歯車５８ａと該第１歯車５８ａに螺合する第２歯車５８ｂとからなる、たとえばかさ歯車などの歯車機構５８と、第２歯車５８ｂの推進軸５９に連結される複数のブレード６０ａからなるブレード群６０とから構成されている。水車機構５３の推進軸５９は、その両端部に配置される軸受部（図示せず）により回転自在に支持されている。
【００１５】
本実施の形態では、送水パイプ２１から送られた水（一次処理水）は、ブレード群６０に注がれて推進軸５９および歯車機構５８を介して、垂下軸５１および水受け部５２を所定の回転速度で回転させる。また、ブレード群６０に注がれた水は、一旦貯留タンク５６に貯えられたのち、流入口５６ａから給水パイプ５７を通って水受け部５２に流される。これにより、水は、流出口５４から噴水部５５の長手方向に形成される噴口５５ａに流れたのち、噴口５５ａから浄化槽本体２４内に均等に散水される。この噴口５５ａは、たとえば前記噴口３１と同様の数および形状とすることができる。
【００１６】
なお、これまでの本実施の形態では、一次処理水により散水部を回転させるようにしているが、前述したブレードを用いずにモータなどの駆動源を利用して当該散水部を回転させるようにしてもよい。
【００１７】
【発明の効果】
以上説明したとおり、本発明によれば、微生物充填層などに均等に散水して微生物の浄化機能を向上させるとともに、水浄化の効率を大幅に向上させることができる。
【図面の簡単な説明】
【図１】本発明の浄化槽用散水機構にかかわる一実施の形態を示す斜視説明図である。
【図２】散水機構の斜視図である。
【図３】図２の散水機構の要部拡大図である。
【図４】噴口の他の実施の形態を示す断面図である。
【図５】本発明の浄化槽用散水機構にかかわる他の実施の形態を示す斜視説明図である。
【符号の説明】
２    配管
４    ポンプ
６    除去機構
８    呼び水供給機構
１０    制御盤
１２    ケース
２１    送水パイプ
２２    浄化槽
２３    透明タンク
２４    浄化槽本体
２５    垂下軸
２６    水受け部
２６ａ  底壁
２７    ブレード
２８    流出口
２９    散水部
３０    給水パイプ
３１    噴口
３１ａ  漏斗状部
３１ｂ  ストレート部
３２    垂下軸本体
３３    嵌合軸部
【図１】
0003694276.tif 000002
【図２】
0003694276.tif 000003
【図３】
0003694276.tif 000004
【図４】
0003694276.tif 000005
【図５】
0003694276.tif 000006